(57)【要約】【課題】感熱記録紙に表面の熱荒れを効果的に抑える。【解決手段】サーマルヘッド１４の発熱素子アレイ１４ａは、プラテンローラ上のカラー感熱記録紙１１を圧接して画像を熱記録する。最も発熱素子アレイ１４ａの温度が高くなるシアン画像の記録中に、プラテンローラ２５は、冷却ファン２７からの冷却風を受けて冷却される。冷却されたプラテンローラ２５によってカラー感熱記録紙１１をその裏面側からサーマルヘッド１４での加熱とほぼ同時に冷却することで、カラー感熱記録紙１１の表面温度を加熱直後に速やかに低下させる。【選択図】        図１
2005007701.tif 000002
【特許請求の範囲】
【請求項１】
感熱発色層の上に保護層が層設された感熱記録紙が用いられ、プラテンローラ上の感熱記録紙にサーマルヘッドの発熱素子アレイを圧接し、感熱記録紙の保護層側から加熱して発色記録を行う感熱プリンタにおいて、
前記プラテンローラを冷却する冷却手段を備え、プラテンローラによって保護層と反対側の面から感熱記録紙を冷却することを特徴とする感熱プリンタ。
【請求項２】
前記冷却手段は、前記プラテンローラに対して送風する冷却ファンであることを特徴とする請求項１記載の感熱プリンタ。
【請求項３】
前記発熱素子アレイの圧接位置よりも感熱記録紙の搬送方向の下流側で感熱記録紙を前記プラテンローラに圧接し、前記プラテンローラに対する感熱記録紙の接触時間を長くする圧接部材を設けたことを特徴とする請求項１または２記載の感熱プリンタ。
【請求項４】
前記感熱記録紙は、発色する色が異なった少なくとも第１〜第３の感熱発色層を有し、下層の感熱発色層ほど熱感度が低いカラー感熱記録紙であり、前記冷却手段は、最下層の第３の感熱発色層をサーマルヘッドで記録する際に駆動されることを特徴とする請求項１ないし３のいずれか１項に記載の感熱プリンタ。
【請求項５】
前記発熱素子アレイの圧接位置よりも感熱記録紙の搬送方向の上流側で感熱記録紙を前記プラテンローラに非接触にすることを特徴とする請求項１ないし４のいずれか１項に記載の感熱プリンタ。
【発明の詳細な説明】
【０００１】
【発明の属する技術分野】
本発明は、感熱記録紙をサーマルヘッドで加熱して画像を発色記録する感熱プリンタに関するものである。
【０００２】
【従来の技術】
多数の発熱素子をライン状に配列したサーマルヘッドと感熱記録紙とを相対移動しながら、サーマルヘッドで感熱記録紙を直接に加熱して発色記録する感熱プリンタが知られている。例えば、カラー感熱プリンタでは、支持体上に、シアン感熱発色層，３６５ｎｍの紫外線に光定着性を有したマゼンタ感熱発色層，４２０ｎｍの近紫外線に光定着性を有したイエロー感熱発色層，保護層を順番に形成したカラー感熱記録紙が用いられ、３色面順次でフルカラー画像を記録する。これらの感熱発色層は、深層ほど熱感度が低くなっている。また、カラー感熱記録紙に与える熱エネルギーの大きさを制御することで、各感熱発色層の発色濃度を変えることができる。
【０００３】
記録の際に発熱素子の温度が高いとき、特に、最深層で最も熱感度が低い感熱発色層を高濃度域で発色させる場合には、サーマルヘッドからカラー感熱記録紙に与えるべき熱エネルギーが大きくなるので、サーマルヘッドが極めて高温になる。このため、カラー感熱記録紙の表面に熱荒れが生じ、光沢度が低下する。
【０００４】
上記のような不都合を防止するために、カラー感熱記録紙にサーマルヘッドで画像を記録する直前に、カラー感熱記録紙が発色しない範囲で予熱を行う感熱プリント方法及び感熱プリンタが開示されている（特許文献１参照）。これによれば、サーマルヘッドからカラー感熱記録紙に与える熱エネルギーを予熱分だけ小さくすることができるため、カラー感熱記録紙の表面の熱荒れやブリスタの発生を抑えることができる。
【０００５】
また、画像の記録によって表面に熱荒れが生じたカラー感熱記録紙を再度加熱・加圧することにより、保護層を平滑化して低下した光沢度を向上させるプリント方法が知られている（例えば、特許文献２参照）。
【０００６】
【特許文献１】
特開平１０−８１０２９号公報
【特許文献２】
特開平１１−２４５４３２号公報
【０００７】
【発明が解決しようとする課題】
しかしながら、上記のように予熱を行ったとしても、サーマルヘッドからカラー感熱記録紙に与える熱エネルギーは大きなものであり、表面の熱荒れやブリスタの発生を十分に抑えることができなかった。また、記録前の感熱発色層が発色しない範囲で予熱を行う必要があり、カラー感熱記録紙の表面温度を記録時に十分に低くすることができないため効果には限界があった。
【０００８】
また、カラー感熱記録紙を再度加熱・加圧することによって平滑処理する場合では、一度熱荒れが生じた表面に対して処理を行うため十分な効果が得られない。さらに、平滑処理における加熱は、記録後に定着されない感熱発色層が発色しない範囲で行う必要があるため、その効果には限界があった。
【０００９】
本発明は、感熱記録紙の表面の熱荒れの発生を極力抑えることができる感熱プリンタを提供することを目的とする。
【００１０】
【課題を解決するための手段】
請求項１記載の感熱プリンタでは、プラテンローラを冷却する冷却手段を備え、プラテンローラによって保護層と反対側の面から感熱記録紙を冷却するものである。
【００１１】
請求項２記載の感熱プリンタでは、冷却手段を、プラテンローラに対して送風する冷却ファンとしたものである。
【００１２】
請求項３記載の感熱プリンタでは、発熱素子アレイの圧接位置よりも感熱記録紙の搬送方向の下流側で感熱記録紙をプラテンローラに圧接し、前記プラテンローラに対する感熱記録紙の接触時間を長くする圧接部材を設けたものである。
【００１３】
請求項４記載の感熱プリンタでは、感熱記録紙は、発色する色が異なった少なくとも第１〜第３の感熱発色層を有し、下層の感熱発色層ほど熱感度が低いカラー感熱記録紙であり、冷却手段は、最下層の第３の感熱発色層をサーマルヘッドで記録する際に駆動されるものである。
【００１４】
請求項５記載の感熱プリンタでは、発熱素子アレイの圧接位置よりも感熱記録紙の搬送方向の上流側で感熱記録紙をプラテンローラに非接触にするものである。
【００１５】
【発明の実施の形態】
本発明を実施したカラー感熱プリンタを図１に示す。システムコントローラ１０は、カラー感熱プリンタの各部を制御する。このカラー感熱プリンタには、給紙カセット（図示せず）にセットされたシート状のカラー感熱記録紙１１が用いられる。カラー感熱記録紙１１は、給紙カセットから送り出され、給紙ローラ対１２でニップされて搬送ローラ対１３に向けて搬送される。なお、カラー感熱記録紙として長尺のものを用い、画像の記録後に画像ごとに切り分けるようにしてもよい。
【００１６】
搬送ローラ対１３は、給紙されたカラー感熱記録紙１１を往復搬送する。この往復搬送の間にサーマルヘッド１４でイエロー，マゼンタ，シアンの画像を面順次に記録する。カラー画像が記録されたカラー感熱記録紙１１は、排紙ローラ対１５によって搬送路の下流（図１の右側）に搬送されてカラー感熱プリンタの外部に排紙される。なお、各ローラ対１２，１３，１５は、システムコントローラ１０に制御されるモータ（図示省略）によって駆動される。
【００１７】
サーマルヘッド１４は、搬送ローラ対１３の上流側に配されている。周知のように、サーマルヘッド１４には多数の発熱素子が主走査方向（カラー感熱記録紙の幅方向）にライン状に配列された発熱素子アレイ１４ａが設けられている。発熱素子アレイ１４ａは、半円柱状に突出した形状をしている。このサーマルヘッド１４は、画像を記録するために発熱素子アレイ１４ａをカラー感熱記録紙１１に圧接した圧接位置と、カラー感熱記録紙１１から離れた退避位置との間で揺動する。
【００１８】
発熱素子アレイ１４ａに設けられた各発熱素子は、記録すべき画像の画像データに基づいてプリント制御部１６で生成された駆動パルスによって駆動されて発熱し、カラー感熱記録紙１１に記録すべき色と濃度に応じた熱エネルギーを与えて画素を発色記録する。１ラインを記録するときには、発熱期間中に発熱素子が発熱されてカラー感熱記録紙１１に後述する発色熱エネルギーを与え、その後の冷却期間に発熱素子が自然冷却される。そして、冷却期間の後に次の１ラインの記録が行われる。
【００１９】
図２にカラー感熱記録紙１１の層構造を示す。カラー感熱記録紙１１は、支持体２０の上に、シアン感熱発色層２１，マゼンタ感熱発色層２２，イエロー感熱発色層２３，保護層２４が順番層設されている。
【００２０】
マゼンタ感熱発色層２２は、３６５ｎｍの電磁波（紫外線）に光定着性を有し、イエロー感熱発色層２３は、４２０ｎｍの近紫外線に光定着性を有する。各感熱発色層２１〜２３は熱記録される順番に層設されているが、  例えばイエロー，シアン，マゼンタの順番に熱記録する場合には、マゼンタ感熱発色層２２とシアン感熱発色層２１とが入れ換えられるとともに、マゼンタ感熱発色層２２に代えてシアン感熱発色層２１に光定着性が与えられる。保護層２４は、例えばＰＶＡ（ポリビニルアルコール）を主剤とする透明な樹脂層であり、各感熱発色層に塵埃が付着したり傷が付いたりするのを防止する。なお、各感熱発色層２１〜２３の間には、感熱発色層の熱感度を調整するための中間層が形成されているが、図面では省略してある。
【００２１】
図３は、カラー感熱記録紙１１の発色特性を示すものである。各感熱発色層２１〜２３は、深層になるほど発色するために大きな発色熱エネルギーをカラー感熱記録紙１１に与える必要があり、このカラー感熱記録紙１１では、イエロー感熱発色層２３の発色熱エネルギーが最も低く、シアン感熱発色層２１の発色熱エネルギーが最も高い。
【００２２】
また、例えばイエロー感熱発色層２３を発色させてイエローの画素を記録する場合には、イエロー用のバイアス熱エネルギーＥｂｙに階調熱エネルギーＥｇｙを加えた熱エネルギーがカラー感熱記録紙１１に与えられる。このバイアス熱エネルギーＥｂｙは、イエロー感熱発色層２１が発色する直前の熱エネルギーであり、階調熱エネルギーＥｇｙは、記録すべき画素の発色濃度すなわちイエローの階調レベルに応じて決められる。なお、マゼンタ，シアンについても同様であるので、記号Ｅｂｍ，Ｅｇｍ，Ｅｂｃ，Ｅｇｃを付してある。
【００２３】
図１に示されるように、サーマルヘッド１４に対向して、プラテンローラ２５が配されている。サーマルヘッド１４は、このプラテンローラ２５の上でカラー感熱記録紙１１に圧接する。このプラテンローラ２５は、カラー感熱記録紙１１の搬送によって従動回転する。なお、記録の際にプラテンローラ２５をモータで回転させてカラー感熱記録紙１１を搬送してもよい。
【００２４】
プラテンローラ２５の上流側には、ガイドローラ対２６が配されている。ガイドローラ対２６は、サーマルヘッド２４の上流側でカラー感熱記録紙１１がプラテンローラ２５に接触しないようにカラー感熱記録紙１１を支持する。ガイドローラ対２６は、給紙時には各ローラが互いに離れた退避位置とされ、記録時には各ローラでカラー感熱記録紙１１をニップしたニップ位置とされる。
【００２５】
プラテンローラ２５に近接して、このプラテンローラ２５を積極的に放熱させて冷却するために、それに向かって冷却風を送る冷却ファン２７が配されている。この冷却ファン２７は、システムコントローラ１０に制御されるファン駆動回路２８によって駆動され、シアン画像の記録中にプラテンローラ２５を冷却する。なお、後述するように記録前に予熱されたカラー感熱記録紙１１が冷却風によって冷却されないように、冷却ファン２７を配したり、冷却風をガイドする部材などを設けるのがよい。
【００２６】
上記のようにサーマルヘッド１４との間でカラー感熱記録紙１１を挟持するプラテンローラ２５を冷却することにより、サーマルヘッド１４での加熱とほぼ同時にカラー感熱記録紙１１を冷却する。プラテンローラ２５によってカラー感熱記録紙１０の裏面（支持体）側から冷却を行うことにより、カラー感熱記録紙１１の断面の温度分布を裏面側の温度が表面側の温度よりも十分に低くなるようにし、カラー感熱記録紙１０の表面温度を速やかに低くして表面の熱荒れを効果的に抑える。この例では、このようなプラテンローラ２５によるカラー感熱記録紙１１の冷却と、後述する予熱とを併用することにより、より大きな効果を得ている。
【００２７】
サーマルヘッド１４に近接した搬送路の上流側には、プレヒート手段として、内部にニクロム線等の発熱体を組み込んだプレート状のヒータ３１が設けられている。このヒータ３１は、システムコントローラ１０に制御されたヒータ駆動回路３２によって駆動され、カラー感熱記録紙１１を支持体側から予熱する。
【００２８】
ヒータ３１は、シアン画像の記録を開始する直前に駆動され、シアン感熱発色層２１が発色しない範囲の温度でカラー感熱記録紙１１を予熱する。シアン画像を記録する際には、ヒータ３１でカラー感熱記録紙１１を予熱するから、この予熱分だけ小さい熱エネルギーをサーマルヘッド１４からカラー感熱記録紙１１に与える。このようにシアン画像をサーマルヘッド１４で記録する際に、予熱分だけ小さい熱エネルギーとすることにより発熱素子アレイ１４ａの温度を低くして、カラー感熱記録紙１１の表面の熱荒れやブリスタの発生を抑える。
【００２９】
なお、実際には、予熱された記録部分がサーマルヘッド１３の位置に到達するまでの間に、予熱エネルギーの一部が逃げるので、この分を考慮して熱エネルギーをサーマルヘッド１４からカラー感熱記録紙１１に与える。また、ヒータ３１による予熱は、イエロー感熱発色層２３及びマゼンタ感熱発色層２２の光定着後に行うため、これらの感熱発色層２２，２３が予熱によって発色することはない。
【００３０】
搬送ローラ対１３と排紙ローラ対１５との間には、イエロー用光定着器３４，マゼンタ用光定着器３５が設けられている。イエロー用光定着器３４は、発光ピークが約４２０ｎｍの近紫外線を放出する棒状をした紫外線ランプ３４ａと、リフレクタ３４ｂとからなる。また、マゼンタ用光定着器３５は、発光ピークが約３６５ｎｍの紫外線を放出する紫外線ランプ３５ａと、リフレクタ３５ｂとからなる。
【００３１】
上記のように構成されたカラー感熱プリンタの作用を図４を参照しながら説明する。給紙カセット内には、支持体２を上にして多数のカラー感熱記録紙１１が収納されている。この給紙カセット内で一番上にあるカラー感熱記録紙１１が送り出され、その先端部が給紙ローラ対１２の間に差し込まれる。この給紙ローラ対１２によってカラー感熱記録紙１１は搬送ローラ対１３に向かって搬送される。
【００３２】
この搬送により、カラー感熱記録紙１１の先端部が、サーマルヘッド１４とプラテンローラ２５との間を通って搬送ローラ対１３に達しこれにニップされると、サーマルヘッド１４がカラー感熱記録紙１１の表面に圧接される。これと同時に給紙ローラ対１２が互いに離れてカラー感熱記録紙１１のニップが解除され、この後は搬送ローラ対１３によってカラー感熱記録紙１１が搬送される。
【００３３】
搬送ローラ対１３による搬送によってカラー感熱記録紙１１の記録エリアの先端がサーマルヘッド１４による記録位置に到達すると、イエロー画像の画像データに基づいてサーマルヘッド１４の各発熱素子が駆動され、イエロー感熱発色層２３が発色する直前のバイアス熱エネルギーＥｂｙとイエロー画像の各画素の階調を表現するための階調熱エネルギーＥｇｙとを合計した発色熱エネルギーがカラー感熱記録紙１１に与えられる。これにより、カラー感熱記録紙１１にイエロー画像が１ラインずつ記録される。
【００３４】
また、イエロー画像の記録が開始されると、イエロー用光定着器３４の紫外線ランプ３４ａが点灯される。イエロー画像が記録された記録エリアがイエロー用光定着器３４の照射エリアに達すると、イエロー用光定着器３４からの近紫外線がカラー感熱記録紙１１に照射され、イエロー感熱発色層２３が光定着される。カラー感熱記録紙１１は、サーマルヘッド１４によって記録エリアの後端まで記録された後、搬送ローラ対１３によりさらに継続搬送され、全ての記録エリアにイエロー用光定着器３４から近紫外線が照射される。
【００３５】
全ての記録エリアの光定着が完了し、カラー感熱記録紙１１の搬送方向の後端部近傍が搬送ローラ対１３の位置に到達すると、搬送ローラ対１３の回転方向が切り換えられ、カラー感熱記録紙１１は、上流に向けて搬送される。このときには、サーマルヘッド１４は退避位置とされておりカラー感熱記録紙１１から離れている。
【００３６】
カラー感熱記録紙１１の先端部近傍が搬送ローラ対１３の位置に到達すると、再び搬送ローラ対１３の回転方向が切り換えられ、下流に向けて搬送される。そして、この搬送で記録エリアの先端がサーマルヘッド１４の記録位置に到達すると、サーマルヘッド１４がカラー感熱記録紙１１に圧接されるとともに、サーマルヘッド１４によってマゼンタ画像の記録が開始される。これと同時に、イエロー用光定着器３４の紫外線ランプ３４ａは消灯され、代わりにマゼンタ用光定着器３５の紫外線ランプ３５ａが点灯される。マゼンタ画像が記録された記録エリアがマゼンタ用光定着器３５の照射エリアに到達すると、これにマゼンタ用光定着器３５からの紫外線がカラー感熱記録紙１１に照射され、マゼンタ感熱発色層２２が光定着される。
【００３７】
マゼンタ画像の記録が終了した後、さらにカラー感熱記録紙１１は継続搬送され、記録エリア全域のマゼンタ感熱発色層２２が光定着される。この後、サーマルヘッド１４が退避位置とされてから、搬送ローラ対１３が逆回転され、再び上流に向けてカラー感熱記録紙１１が戻される。また、このときに、冷却ファン２７の駆動が開始され、プラテンローラ２５の冷却が開始される。このように、シアン画像の記録前から冷却ファン２７を駆動することにより、イエロー，マゼンタ画像記録時に温度が上昇したプラテンローラ２５をシアン画像の記録開始までに冷却する。
【００３８】
カラー感熱記録紙１１の先端部近傍が搬送ローラ対１３のニップ位置に到達すると、その搬送ローラ対１３の回転方向が切り換えられ、カラー感熱記録紙１１が下流に向けて搬送される。この搬送開始時には、ヒータ３１が駆動され、予熱（プレヒート）が開始される。このときに、記録エリアの先端がヒータ３１と対面する位置にあり、記録エリアの先端から予熱を行うことができる。
【００３９】
記録エリアの先端が記録位置に達すると、他の色と同様に、サーマルヘッド１５でシアン画像を記録するが、ヒータ３１で予熱を行っているので、その予熱文だけ低い発色熱エネルギーをカラー感熱記録紙１１に与え、シアン画像の記録を開始する。シアン画像の記録が進むにつれて、カラー感熱記録紙１１はプラテンローラ２５を従動回転させながら搬送される。このようにプラテンローラ２５が従動回転することにより、カラー感熱記録紙１１の搬送に追従して、カラー感熱記録紙１１と接触する部分が移っていき、また冷却ファン２７で冷却される部分も移っていく。したがって、サーマルヘッド１４で加熱されたカラー感熱記録紙１１の部分は、その加熱とほぼ同時に支持体２０側からプラテンローラ２５によって効率的かつ速やかに冷却される。
【００４０】
このシアン画像の記録の際にも、マゼンタ用光定着器３５の紫外線ランプ３５ａは点灯されており、記録エリアの外側にあって今まで紫外線が当たっていないカラー感熱記録紙１１の後端部にも紫外線が照射されて、漂白される。このように、全ての記録，光定着が終了したカラー感熱記録紙１１は、カラー感熱プリンタの外部に排出される。
【００４１】
図５（ａ）に示すように、サーマルヘッド１４での加熱時におけるカラー感熱記録紙１１の断面の温度分布は、裏面（支持体）側に対して表面側が極めて高くなっているが、上記のように冷却ファン２７で冷却したプラテンローラ２５を用いることにより、加熱完了直後、すなわち発熱素子の発熱期間が終了してその冷却期間となると、表面側温度が急速に低下して、図５（ｂ）に示すように室温程度にまで下がる。結果としてカラー感熱記録紙１１の表面は、それが高温になっている時間が極めて短いので、熱荒れが低く抑えられる。そして、予熱の効果も相まって熱荒れは極めて低く抑えられる。したがって、カラー画像が記録されたカラー感熱記録紙１１は、表面の光沢度の低下が極めて少ない
【００４２】
上記実施形態では、プラテンローラには、発熱素子アレイとの間で挟まれているカラー感熱記録紙の部分だけを接触させているが、プラテンローラに接触するカラー感熱記録紙の部分を大きく、すなわち接触時間を長くすれば、より冷却効果が高まり、熱荒れをより抑えることができる。
【００４３】
図６は補助ローラを設けた例を示すものである。補助ローラ４１は、サーマルヘッド１４よりも下流側に回動自在に設けられており、プラテンローラ２５にカラー感熱記録紙１１を圧接する。補助ローラ４１を設けていない場合には極めて短い時間Ｔ１しかカラー感熱記録紙１１がプラテンローラ２５に接触しないが、この例のように補助ローラ４１を設けた場合には、発熱素子アレイ１４ａとの間で挟持された位置から補助ローラ４１で圧接される位置までのより長い時間Ｔ２だけプラテンローラ２５にカラー感熱記録紙１１を接触させることができ、熱荒れをより抑えることができる。図７の例では、補助ローラ４１に代えてペーパーガイド４２によってプラテンローラ２５にカラー感熱記録紙１１を圧接している。なお、図６，図７に示す例では、補助ローラ４１またはペーパーガイド４２を設けた他は、上記実施形態と同じであり、上記実施形態と同じ部材には同一の符号を付してある。
【００４４】
上記実施形態では、冷却ファンによってプラテンローラを冷却しているが、冷却手段としては、各種のものを採用することができる。例えば、液冷パイプを用いてプラテンローラの熱を吸収して冷却してもよく、プラテンローラの内部に冷却液を通すなどしてもよい。
【００４５】
上記実施形態では、プレヒート手段によって予熱を行っているが、予熱を行わなくてもよい。また、予熱を行う場合には、プレヒート手段としては、接触，非接触の各種のものを用いることができ、また予熱をカラー感熱記録紙の表面、すなわち保護層側から、あるいは両面側から行ってもよい。
【００４６】
また、上記各実施形態は、カラー感熱記録紙を往復搬送して、１個のサーマルヘッドでカラー画像を記録する１ヘッド３パス方式のカラー感熱プリンタであるが、色毎にサーマルヘッドを設け、これらの３個のサーマルヘッドにカラー感熱記録紙を１回通す間に、３色面順次の記録と光定着を行う３ヘッド１パス方式であってもよい。
【００４７】
上記各実施形態では、最下層のシアン感熱発色層の発色熱エネルギーの最も高いからシアン画像の記録時にプラテンローラによる冷却を行っているが、感熱発色層の積層の順番を変えた場合には、最下層の感熱発色層を記録する際に冷却を行えばよい。さらに、上記各実施形態では、プラテンローラによる冷却をシアン画像の記録直前のみに行なったが、イエロー画像及びマゼンタ画像の各記録時に行なってもよい。
【００４８】
【発明の効果】
以上のように、本発明によれば、プラテンローラを冷却する冷却手段を設けて、感熱記録紙の保護層と反対側の面をプラテンローラによって冷却するから、サーマルヘッドで加熱した後に感熱記録紙の表面温度をプラテンローラによって速やかに低くすることができるから、感熱記録紙の表面の熱によるダメージを効果的に低減することができる。
【図面の簡単な説明】
【図１】本発明を実施したカラー感熱プリンタの構成を示す概略図である。
【図２】カラー感熱記録紙の層構造の一例を示す説明図である。
【図３】カラー感熱記録紙の発色特性を示すグラフである。
【図４】カラー画像の記録の手順を示すフローチャートである。
【図５】サーマルヘッドによる加熱時と直後におけるカラー感熱記録紙の断面の温度分布を示すグラフである。
【図６】補助ローラを設けてカラー感熱記録紙とプラテンローラの接触時間を長くした例を示すものである。
【図７】ペーパーガイドを設けてカラー感熱記録紙とプラテンローラの接触時間を長くした例を示すものである。
【符号の説明】
１１  カラー感熱記録紙
１４  サーマルヘッド
１４ａ  発熱素子アレイ
２５  プラテンローラ
２７  冷却ファン
【図１】
2005007701.tif 000003
【図２】
2005007701.tif 000004
【図３】
2005007701.tif 000005
【図４】
2005007701.tif 000006
【図５】
2005007701.tif 000007
【図６】
2005007701.tif 000008
【図７】
2005007701.tif 000009